(57)【要約】【課題】転記ミスや照査漏れなどに係る設計不具合を減らして設計品質の向上を図ることにより開発期間を短縮する流用設計方法を提供することである。【解決手段】流用設計方法は、機器の新たな機種を設計するとき該機器を構成する部品の少なくとも一部のキーパーツのＣＡＤデータを開発が既に完了した機器から流用する場合、ＣＡＤデータライブラリに記憶されているキーパーツと該キーパーツの周辺に配置された周辺部品との関連からデータベースに登録されている該キーパーツおよび該周辺部品のそれぞれのＣＡＤデータを読み出し、且つ、上記読み出したＣＡＤデータを用いて上記新たに設計する機種の機器を構成する部品のＣＡＤデータとして流用するステップを含む。【選択図】図３
2009140404.tif 000002
【特許請求の範囲】
【請求項１】
機器の新たな機種を設計するとき該機器を構成する部品の少なくとも一部のキーパーツのＣＡＤデータを開発が既に完了した機器から流用する場合、ＣＡＤデータライブラリに記憶されているキーパーツと該キーパーツの周辺に配置された周辺部品との関連からデータベースに登録されている該キーパーツおよび該周辺部品のそれぞれのＣＡＤデータを読み出し、且つ、上記読み出したＣＡＤデータを用いて上記新たに設計する機種の機器を構成する部品のＣＡＤデータとして流用するステップを含むことを特徴とする流用設計方法。
【請求項２】
上記ＣＡＤデータライブラリから新たに設計された機種のキーパーツおよび該キーパーツの周辺に配置された周辺部品のＣＡＤデータを読み出し、且つ、上記新たに設計された機種の画像上に読み出したＣＡＤデータを用いて該キーパーツが重なるよう該周辺部品を表示しながら新たに設計された機種の設計を照査するステップを含むことを特徴とする請求項１に記載の流用設計方法。
【請求項３】
上記新たに設計された機種のキーパーツの周辺に配置された周辺部品のＣＡＤデータを流用することが認められた場合、上記新たに設計された機種の上記キーパーツと連関して該周辺部品を上記ＣＡＤデータライブラリに登録し、且つ上記開発が完了した新たな機種の開発で得られたドキュメント情報を上記キーパーツと連関してドキュメントライブラリに登録するステップを含むことを特徴とする請求項１または２に記載の流用設計方法。
【請求項４】
機器の新たな機種を設計するときにドキュメントライブラリに登録されている該機器を構成するキーパーツが既に開発が完了した機種のドキュメント情報を参照して流用するキーパーツおよび周辺部品を選定するステップを含むことを特徴とする請求項１乃至３のいずれかに記載の流用設計方法。
【請求項５】
設計された機器のＣＡＤデータが記憶されるエリアとキーパーツのＣＡＤデータと該キーパーツが採用された機種毎の該キーパーツの周辺に配置された周辺部品のＣＡＤデータとの連関が登録されているＣＡＤデータライブラリとを有するデータベースと、
上記キーパーツおよび選定された機種が入力されたとき上記ＣＡＤデータライブラリを検索して上記キーパーツおよび上記選定された機種の周辺部品のＣＡＤデータを読み出すとともに上記周辺部品のＣＡＤデータを上記キーパーツの周辺に配置した状態で表示する流用部品表示手段と、
を有することを特徴とする流用設計支援装置。
【請求項６】
上記ＣＡＤデータライブラリから上記キーパーツのＣＡＤデータと連関する上記キーパーツの周辺に配置された周辺部品のＣＡＤデータと読み出し、且つ、上記新たに設計した機器の画像上に読み出したＣＡＤデータを用いてキーパーツが重なるように周辺部品を表示する設計照査表示手段を有することを特徴とする請求項５に記載の流用設計支援装置。
【請求項７】
開発が完了した新たな機種の上記キーパーツの周辺に配置された周辺部品のＣＡＤデータを流用することが認められたとき上記開発が完了した新たな機種の上記キーパーツの周辺に配置された周辺部品を上記キーパーツと連関して上記ＣＡＤデータライブラリに登録し、且つ上記開発が完了した新たな機種の開発で得られたドキュメント情報を上記キーパーツと連関してドキュメントライブラリに登録するライブラリ登録手段を有することを特徴とする請求項５または６に記載の流用設計支援装置。
【請求項８】
上記ライブラリは、開発が完了した機器のドキュメント情報がキーパーツの名称と連関して登録されており、
上記キーパーツの名称が入力されたとき上記ライブラリを検索して上記キーパーツが採用された機器のドキュメント情報を表示する選定用情報表示手段を有することを特徴とする請求項５乃至７のいずれかに記載の流用設計支援装置。
【請求項９】
キーパーツおよび選定された機種が入力されたとき上記キーパーツのＣＡＤデータと該キーパーツが採用された機種毎の該キーパーツの周辺に配置された周辺部品のＣＡＤデータとの連関が登録されているＣＡＤデータライブラリを検索して上記選定された機種の周辺部品を特定し、且つ特定した周辺部品のＣＡＤデータを読み出すとともに上記周辺部品のＣＡＤデータを上記キーパーツの周辺に配置した状態で設計端末に表示する流用部品表示手順を含むことを特徴とする流用設計支援装置に実行させるプログラム。
【請求項１０】
上記ＣＡＤデータライブラリから上記キーパーツのＣＡＤデータと連関する上記キーパーツの周辺に配置された周辺部品のＣＡＤデータと読み出し、且つ、上記新たに設計した機器の画像上に読み出したＣＡＤデータを用いてキーパーツが重なるように周辺部品を表示する設計照査表示手順を含むことを特徴とする請求項９に記載の流用設計支援装置に実行させるプログラム。
【発明の詳細な説明】
【技術分野】
【０００１】
この発明は、機器の新たな機種を設計するとき既に開発が完了した機種に使用された部品のデータを流用する流用設計方法、流用設計を支援する流用設計支援装置、流用設計支援装置に実行させるプログラムに関するものである。
【背景技術】
【０００２】
従来、機器の新たな機種を設計するとき既に開発が完了した機種に使用された部品の３次元ＣＡＤデータを流用する場合には、２台のモニタの一方に流用する部品の３次元ＣＡＤデータを画像として表示し、他方に新たに設計する機種の入力した３次元ＣＡＤデータを画像として表示し、両方の画像を見比べながら設計を進める。この際、通常設計の経験年数の長い管理者が経験年数の短い部下に流用する部品の機種を指示し、部下は指示に従って開発が完了した機種の部品のモニタに表示した画像を計測して新たに設計する機種の３次元ＣＡＤデータとして転記する。
そして、このようにして設計された機種の設計図は、経験年数の長い管理者がチェッカとして検図を行って試作段階に移行していく（例えば、特許文献１参照）。
【０００３】
【特許文献１】特開２００７−２８６７７８号公報
【発明の開示】
【発明が解決しようとする課題】
【０００４】
しかし、流用する部品の３次元ＣＡＤデータを計測して新たなデータとして転記するときに転記ミスを起こすことがあり、チェッカも流用部品であるとして転記ミスを見逃してしまい、試作段階での不具合により転記ミスが発見されることがある。
また、電子機器は多くの部品により構成されており、流用する部品の周りには多くの周辺部品が配置されているので、設計者が周辺部品の一部を他に大きな影響を与えないとして変更したときでも他に大きな影響を与える可能性があり、且つ、チェッカも設計者が変更した箇所の全てを照査することができずに照査漏れが試作段階に流出することがある。
【０００５】
この発明の目的は、転記ミスや照査漏れなどに係る設計不具合を減らして設計品質の向上を図ることにより開発期間を短縮する流用設計方法、流用設計を支援する流用設計支援装置、流用設計支援装置に実行させるプログラムを提供することである。
【課題を解決するための手段】
【０００６】
この発明に係る流用設計方法は、機器の新たな機種を設計するとき該機器を構成する部品の少なくとも一部のキーパーツのＣＡＤデータを開発が既に完了した機器から流用する場合、ＣＡＤデータライブラリに記憶されているキーパーツと該キーパーツの周辺に配置された周辺部品との関連からデータベースに登録されている該キーパーツおよび該周辺部品のそれぞれのＣＡＤデータを読み出し、且つ、上記読み出したＣＡＤデータを用いて上記新たに設計する機種の機器を構成する部品のＣＡＤデータとして流用するステップを含む。
【０００７】
この発明に係る流用設計支援装置は、設計された機器のＣＡＤデータが記憶されるエリアとキーパーツのＣＡＤデータと該キーパーツが採用された機種毎の該キーパーツの周辺に配置された周辺部品のＣＡＤデータとの連関が登録されているＣＡＤデータライブラリとを有するデータベースと、上記キーパーツおよび選定された機種が入力されたとき上記ＣＡＤデータライブラリを検索して上記キーパーツおよび上記選定された機種の周辺部品のＣＡＤデータを読み出すとともに上記周辺部品のＣＡＤデータを上記キーパーツの周辺に配置した状態で表示する流用部品表示手段と、を有する。
【０００８】
この発明に係る流用設計支援装置に実行させるプログラムは、キーパーツおよび選定された機種が入力されたとき上記キーパーツのＣＡＤデータと該キーパーツが採用された機種毎の該キーパーツの周辺に配置された周辺部品のＣＡＤデータとの連関が登録されているＣＡＤデータライブラリを検索して上記選定された機種の周辺部品を特定し、且つ特定した周辺部品のＣＡＤデータを読み出すとともに上記周辺部品のＣＡＤデータを上記キーパーツの周辺に配置した状態で設計端末に表示する流用部品表示手順を含む。
【発明の効果】
【０００９】
この発明に係る流用設計方法の効果は、機器の新たな機種を設計するとき既に開発が完了した機種のキーパーツのＣＡＤデータを流用する場合、そのキーパーツの画像に既に開発が完了した機種のキーパーツの周辺に配置された周辺部品の画像が配置されているように表示されており、その画像を計測機能を用いて新たな機種のキーパーツおよび周辺部品のＣＡＤデータとして流用するので、周辺部品の一部を変更するときにキーパーツとの関連を考慮して行うことができ、転記ミスなどの設計ミスを防止できることである。
【発明を実施するための最良の形態】
【００１０】
機器の新たな機種を設計するとき、設計部門の管理者が部下の設計担当者に設計を指示するとともに設計担当者が指示に従って設計して設計図を出図する。そして、管理者がチェッカとして設計図を検図して設計を照査し、検図された設計図に基づいて試作品を製作し、試作品を評価して目標性能を満足しているか否かを判断する。なお、この発明では機器の新たな機種を設計するとき既に開発が完了した機種に使用された部品の３次元ＣＡＤデータを流用する場合に注目する。
【００１１】
図１は、この発明の実施の形態に係る流用設計支援装置の構成図である。
最初に、この発明の実施の形態に係る流用設計方法で利用する流用設計支援装置を説明する。流用設計支援装置は、図１に示すように、２台のモニタ１ａ、１ｂを有しモニタ１ａ、１ｂに表示される画像を見ながら必要なデータや指令をマウスおよびキーボードから入力する設計端末１、設計に用いる３次元ＣＡＤデータおよびドキュメント情報または設計の過程で得られた３次元ＣＡＤデータおよびドキュメント情報などが記憶されるデータベース２、および、設計端末１から入力されるデータおよび指令に基づいて設計支援を行う設計支援サーバ３を備える。なお、設計端末１は２台のモニタ１ａ、１ｂを有しているが、１台のモニタを有し、画面を切り替えることにより設計図面と流用図面とを交互に表示しても良い。
【００１２】
データベース２は、図２に示すように、設計された機器の機種毎の３次元ＣＡＤデータが記憶されるエリア４、キーパーツと周辺部品との連関を示すＣＡＤデータライブラリ５、開発が完了した機器のドキュメント情報が記憶されるエリア６、およびキーパーツとドキュメント情報との連関を示すドキュメントライブラリ７を有する。
【００１３】
設計された機器の機種毎の３次元ＣＡＤデータは、機器の機能が異なる複数の機種が開発されるので、機種毎に得られる。そして、３次元ＣＡＤデータは、機器全体の形状データおよび機器を構成する部品の形状データからなる。部品の形状データには名称が付箋されており、名称を指定することにより検索することができる。
【００１４】
ＣＡＤデータライブラリ５には、機器を構成する部品の中で重要な部品として予め選定したキーパーツに対して自身の３次元ＣＡＤデータに付けられた名称、キーパーツが採用され且つ３次元ＣＡＤデータの流用が認められた機種のキーパーツ周辺に配置された周辺部品の３次元ＣＡＤデータに付けられた名称がツリー状に関連付けられて格納されている。
ＣＡＤデータライブラリ５の例を説明する。図３に示すように、キーパーツをネジとすると、ネジに対してネジ本体と名付けられたネジの３次元ＣＡＤデータ、ネジが採用されたＡ機種の周辺部品、および、ネジが採用されたＢ機種の周辺部品が１次的に連関している。また、Ａ機種の周辺部品の上ケース、下ケース、ネジキャップがネジに対して２次的に連関し、Ｂ機種の周辺部品の上ケース、下ケース、ネジキャップもネジに対して２次的に連関している。
【００１５】
ドキュメント情報として、開発が完了した機器の機種を開発した際に得られた検討書および評価報告書などであり、機種毎に記憶されている。このドキュメント情報は機器名と機種名とを用いて検索することができる。
ドキュメントライブラリ７には、キーパーツに対してキーパーツを採用した機種名、その機種の開発の過程で得られた検討書の名称および評価報告書の名称が連関付けられて格納されている。
ドキュメントライブラリ７の例を説明する。図４に示すように、キーパーツとして名称が電池パックＡを取り上げると、既に電池パックＡを採用した機種は４つあり、それぞれに検討書と評価報告書が得られている。
【００１６】
設計支援サーバ３は、ＣＰＵがＲＯＭに記憶されたプログラムを読み出し、プログラムとして記述された命令に従って演算処理を行う。そして、プログラムは、図５に示すように、キーパーツの名称および選定された機種名が入力されたときＣＡＤデータライブラリ５を検索して画面にキーパーツおよび選定された機種の周辺部品をキーパーツの周辺に配置した状態で表示する流用部品表示手順１１、ＣＡＤデータライブラリ５からキーパーツおよびキーパーツの周辺に配置された周辺部品の３次元ＣＡＤデータを読み出し、且つ、新たに設計した機器の表示された画像上に読み出した３次元ＣＡＤデータを用いてキーパーツが重なるように周辺部品を表示する設計照査表示手順１２、新たに設計した機種のキーパーツの周辺に配置された周辺部品の３次元ＣＡＤデータを流用することが認められたとき新たに設計した機器のキーパーツの周辺に配置された周辺部品をキーパーツと連関してＣＡＤデータライブラリ５に登録するライブラリ登録手順１３、および、キーパーツの名称が入力されたときドキュメントライブラリ７を検索してキーパーツが採用された機種のドキュメント情報を表示する選定用情報表示手順１４を有する。
【００１７】
次に、流用設計支援装置の操作について説明する。
設計支援サーバ３は、起動されると設計用モニタ１ａにメニュー画面を表示する。メニュー画面には、図６に示すように、「流用設計」、「設計照査」、「ライブラリ更新」、「流用機種選定」のメニューが表示され、例えばマウスによりカーソルを実行しようとするメニューの位置に合わせてからダブルクリックすることにより選択されたメニューが開始される。
【００１８】
「流用設計」メニューが開始されると、設計支援サーバ３は流用用モニタ１ｂに「キーパーツ名」と「機種名」とを入力するための欄を表示する。そこで、設計担当者は「キーパーツ名」と「機種名」との欄にキーパーツ名と機種名とを入力する。設計支援サーバ３は、キーパーツ名と機種名とが入力されるとキーパーツ名と機種名とを用いてＣＡＤデータライブラリ５を検索して周辺部品の３次元ＣＡＤデータの名称を抽出し、キーパーツの３次元ＣＡＤデータの名称と周辺部品の３次元ＣＡＤデータの名称に該当するキーパーツおよび周辺部品の３次元ＣＡＤデータを読み出す。次に、設計支援サーバ３は読み出した３次元ＣＡＤデータをキーパーツの周辺に周辺部品を配置した状態の画像として流用用モニタ１ｂに表示する。
設計担当者は、流用用モニタ１ｂに表示されている画像からキーパーツおよび周辺部品の寸法を計測し、一部は変更して設計用モニタ１ａに入力する。
設計が完了したら機種の名称を付けて機器全体の３次元ＣＡＤデータとキーパーツの名称または部品の名称を付けてキーパーツまたは部品の３次元ＣＡＤデータをデータベース２に記憶する。
【００１９】
「設計照査」メニューが開始されると、設計支援サーバ３は設計用モニタ１ａに「新たに設計した機種名」を入力するための欄を表示する。そこで、設計を照査するチェッカは「新たに設計した機種名」の欄に機種名を入力する。設計支援サーバ３は、機種名が入力されるとデータベース２から該当する機種の３次元ＣＡＤデータを読み出し、設計用モニタ１ａに読み出した３次元ＣＡＤデータの画像を表示する。
次に、設計支援サーバ３は、流用用モニタ１ｂに「キーパーツ名」と「機種名」とを入力するための欄を表示する。そこで、チェッカは「キーパーツ名」と「機種名」との欄にキーパーツ名と機種名とを入力する。設計支援サーバ３は、キーパーツ名と機種名とが入力されるとキーパーツ名と機種名とを用いてＣＡＤデータライブラリ５を検索して周辺部品の３次元ＣＡＤデータの名称を抽出し、キーパーツの３次元ＣＡＤデータの名称と周辺部品の３次元ＣＡＤデータの名称に該当するキーパーツおよび周辺部品の３次元ＣＡＤデータを読み出す。次に、設計支援サーバ３は読み出した３次元ＣＡＤデータをキーパーツの周辺に周辺部品を配置した状態の画像として流用用モニタ１ｂに表示する。
チェッカは、流用用モニタ１ｂに表示された画像の３次元ＣＡＤデータをコピーして、設計用モニタ１ａにキーパーツが重なるようにしてコピーした３次元ＣＡＤデータを用いて画像化した周辺部品を新たに設計した機器に重ね合わせて表示する。
チェッカは、新たに設計した機器の画像と３次元ＣＡＤデータを流用したキーパーツおよび周辺部品とを見比べて設計を照査する。
なお、キーパーツが複数ある場合には、キーパーツ毎に照査する。
【００２０】
「ライブラリ更新」メニューが開始されると、設計支援サーバ３は設計用モニタ１ａに「新たに開発完了した機種名」、「キーパーツ名」、「キーパーツの周辺に配置された周辺部品名」を入力するための欄を表示する。そこで、システム管理者は「新たに開発完了した機種名」、「キーパーツ名」、「周辺部品名」の欄に機種名、キーパーツ名、周辺部品名を一組として入力する。設計支援サーバ３は、一組の機種名、キーパーツ名、周辺部品名が入力されるとＣＡＤデータライブラリ５の該当するキーパーツの枝に追加する。
【００２１】
次に、設計支援サーバ３は設計用モニタ１ａに「開発完了した機種名」、「分類」、「部品番号」、「キーパーツの３次元ＣＡＤデータのファイル名」、「検討書の名称とファイル名」、「評価報告書の名称とファイル名」を入力するための欄を表示する。そこで、システム管理者は「開発完了した機種名」、「分類」、「部品番号」、「キーパーツの３次元ＣＡＤデータのファイル名」、「検討書の名称とファイル名」、「評価報告書の名称とファイル名」の欄に開発完了した機種名、分類、部品番号、キーパーツの３次元ＣＡＤデータのファイル名、検討書の名称とファイル名、評価報告書の名称とファイル名を入力する。設計支援サーバ３は、開発完了した機種名、分類、部品番号、キーパーツの３次元ＣＡＤデータのファイル名、検討書の名称とファイル名、評価報告書の名称とファイル名が入力されるとドキュメントライブラリ７に開発完了した機種名、分類、部品番号、キーパーツの３次元ＣＡＤデータのファイル名、検討書の名称とファイル名、評価報告書の名称とファイル名を追加する。なお、キーパーツや周辺部品が複数ある場合は上述の操作を繰り返す。
【００２２】
「流用機種選定」メニューが開始されると、設計支援サーバ３は設計用モニタ１ａに「キーパーツ名」を入力するための欄を表示する。そこで、管理者は「キーパーツ名」の欄にキーパーツ名を入力する。設計支援サーバ３はキーパーツ名が入力されるとキーパーツ名でドキュメントライブラリ７を検索して分類、部品番号、キーパーツの３次元ＣＡＤデータのファイル名、採用機種、検討書の名称とファイル名、評価報告書の名称とファイル名を読み出し、図５に示すように、表形式で表示する。
管理者は、設計用モニタ１ａに表示された表の記載からキーパーツの周辺形状の画像、検討書や評価報告書の記述内容を検討して新たに設計するとき最適な流用機種を選定して設計担当者に指示する。
【００２３】
次に、この発明の実施の形態に係る流用設計支援装置を新規に導入するときの準備について説明する。
流用設計支援装置を新規に導入するとき、通常過去から現在までに開発が完了した機種が多数存在し、それらの機種の３次元ＣＡＤデータ、検討書、評価報告書が蓄積されている。そこで、機器を構成する部品の内、重要な部品をキーパーツとして選定し、蓄積されている３次元ＣＡＤデータからキーパーツの３次元ＣＡＤデータ、キーパーツが採用されている機器のキーパーツの周辺に配置された周辺部品の３次元ＣＡＤデータを抽出する。それから、３次元ＣＡＤデータを識別する名称を付箋する。
このように準備してから、３次元ＣＡＤデータをデータベース２に記憶する。また、「ライブラリ更新」メニューを開始して、キーパーツに対してキーパーツの３次元ＣＡＤデータの名称、周辺部品の３次元ＣＡＤデータの名称を用いてＣＡＤデータライブラリ５を作成する。
また、キーパーツに対してキーパーツが採用された機種の名称、機種の開発において得られた検討書および評価報告書の名称とファイル名を用いてドキュメントライブラリ７を作成する。
【００２４】
次に、この発明の実施の形態に係る流用設計手法での業務フローを説明する。
設計部門の管理者は、新たに設計する機器を構成する部品の内のキーパーツを抽出し、設計用モニタ１ａから「流用機種設定」メニューを開始する。そして、管理者はキーパーツ名を入力し、設計用モニタ１ａには分類、部品番号、キーパーツの３次元ＣＡＤデータのファイル名、採用機種、検討書の名称とファイル名、評価報告書の名称とファイル名が表形式で表示される。
管理者は、設計用モニタ１ａに表示された表の記載からキーパーツの周辺形状の画像、検討書や評価報告書の記述内容を検討して新たに設計するとき最適な流用機種を選定して設計担当者に指示する。
【００２５】
設計担当者は、管理者からの指示に従って新たな機種の設計を行うが、流用設計の指示があるキーパーツを設計するときには「流用設計」メニューを開始する。そして、設計担当者は、キーパーツ名と機種名とを入力し、流用用モニタ１ｂにはキーパーツの周辺に周辺部品を配置した状態の画像が表示される。
例えば、キーパーツを携帯電話機の上ケースと下ケースとを一体化するネジとすると、図７に示すように、流用用モニタ１ｂにはネジ２１とネジ２１の周辺に配置された周辺部品２２が表示される。
設計担当者は、流用用モニタ１ｂに表示されている画像からキーパーツおよび周辺部品の寸法を計測し、一部は変更して設計用モニタ１ａに入力する。
設計が完了したら機種の名称を付けて機器全体の３次元ＣＡＤデータとキーパーツの名称または部品の名称を付けてキーパーツまたは部品の３次元ＣＡＤデータをデータベース２に記憶する。
【００２６】
設計を照査するチェッカは新たに設計された機種を照査するときには「設計照査」メニューを開始する。そして、チェッカは新たに設計した機種名を入力し、設計用モニタ１ａには新たに設計された機種の画像が表示される。例えば、携帯電話機の新たな機種を設計したときには図８（ａ）に示すように新たに設計された機種の画像が設計用モニタ１ａに表示される。
次に、チェッカはキーパーツ名と機種名とを入力し、流用用モニタ１ｂにはキーパーツの周辺に周辺部品を配置した状態の画像が表示される。例えば、キーパーツを携帯電話機の上ケースと下ケースとを一体化するネジとすると、図８（ｂ）に示すように、流用用モニタ１ｂにはネジ２１とネジ２１の周辺に配置された周辺部品２２が表示される。
【００２７】
チェッカは、流用用モニタ１ｂに表示された画像の３次元ＣＡＤデータをコピーして、設計用モニタ１ａにキーパーツが重なるようにしてコピーした３次元ＣＡＤデータを用いて画像化した周辺部品を新たに設計した機器に重ね合わせて表示する。例えば、図８（ａ）の新たに設計された機種の画像の上に図８（ｂ）の流用した周辺部品の画像を重ねると図８（ｃ）のように表示される。
チェッカは、新たに設計した機器の画像と３次元ＣＡＤデータを流用したキーパーツおよび周辺部品とを見比べて設計を照査する。
【００２８】
新たに開発が完了した機種があり且つ周辺部品として流用が認められたときシステム管理者は「ライブラリ更新」メニューを開始する。そして、システム管理者は新たに開発完了した機種名、キーパーツ名、周辺部品名を一組として入力する。すると、ＣＡＤデータライブラリ５の該当するキーパーツの枝に機種名、周辺部品名が追加される。
次に、システム管理者は新たに開発完了した機種名、分類、部品番号、キーパーツの３次元ＣＡＤデータのファイル名、検討書の名称とファイル名、評価報告書の名称とファイル名を入力する。するとドキュメントライブラリ７に開発完了した機種名、分類、部品番号、キーパーツの３次元ＣＡＤデータのファイル名、検討書の名称とファイル名、評価報告書の名称とファイル名が追加される。
【００２９】
この発明に係る流用設計方法は、機器の新たな機種を設計するとき既に開発が完了した機種のキーパーツの３次元ＣＡＤデータを流用する場合、そのキーパーツの画像に既に開発が完了した機種のキーパーツの周辺に配置された周辺部品の画像が配置されているように表示されており、その画像を計測機能を用いて新たな機種のキーパーツおよび周辺部品の３次元ＣＡＤデータとして流用するので、周辺部品の一部を変更するときにキーパーツとの関連を考慮して行うことができ、転記ミスなどの設計ミスを防止できる。このため設計品質の向上が図られ、設計期間の短縮ができる。
【００３０】
また、流用用モニタには周辺部品が配置されたキーパーツが表示されているので、キーパーツだけでなく周辺部品の３次元ＣＡＤデータを一緒に計測でき、設計時間を短縮することができる。
【００３１】
また、チェッカが新たに設計された機種を照査するとき、新たな機種の画像の上に流用したキーパーツの画像が周辺部品の画像と合わせて重ね合わされて表示されるので、設計担当者が変更した周辺部品を識別することができ、照査漏れを防止することができる。このため設計ミスを照査漏れで試作段階に流れてしまうのを防止し、試作段階を繰り返して開発期間が長くなることを防げる。
【００３２】
また、管理者が流用する候補の機種の開発過程で得られたドキュメント情報を参照して新たに設計する機種に流用する機種を選定するので、誤った流用機種を選定して設計担当者に指示してしまうということが防げる。
また、キーパーツが採用された複数の機種の周辺部品やドキュメント情報を参照して設計を行うことができるので、経験が少ない初心者でも所定の品質の設計を行うことができる。
【図面の簡単な説明】
【００３３】
【図１】この発明の実施の形態に係る流用設計支援装置の構成図である。
【図２】この発明の実施の形態に係るデータベースのデータ構成を示す図である。
【図３】ＣＡＤデータライブラリのデータ構造を示す構造図である。
【図４】ドキュメントライブラリのデータ構造を示す構造図である。
【図５】流用設計支援装置に実行させるプログラムを構成する手順である。
【図６】流用設計支援装置を起動したときに設計端末に表示されるメニュー画面である。
【図７】キーパーツと周辺部品とを合わせて表示しながらＣＡＤデータを流用する様子を説明する図である。
【図８】新たに設計した機種の画像と流用した周辺部品の画像を重ね合わせながら設計照査する様子を説明する図である。
【符号の説明】
【００３４】
１  設計端末、１ａ  設計用モニタ、１ｂ  流用用モニタ、２  データベース、３  設計支援サーバ、４  ３次元ＣＡＤデータ記憶エリア、５  ＣＡＤデータライブラリ、６  ドキュメント情報記憶エリア、７  ドキュメントライブラリ、１１  流用部品表示手順、１２  設計照査表示手順、１３  ライブラリ登録手順、１４  選定用情報表示手順、２１  ネジ、２２  周辺部品。
【図１】
2009140404.tif 000003
【図２】
2009140404.tif 000004
【図３】
2009140404.tif 000005
【図４】
2009140404.tif 000006
【図５】
2009140404.tif 000007
【図６】
2009140404.tif 000008
【図７】
2009140404.tif 000009
【図８】
2009140404.tif 000010